【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
方法であって、
１つ以上の演算装置を備えるサービスインフラストラクチャシステムが、要求者から受取られたサブスクリプションオーダー情報を格納するステップを備え、前記サブスクリプションオーダー情報は、前記サービスインフラストラクチャシステムによって提供される１つ以上のサービスについてのサブスクリプションオーダーに関するものであり、前記方法はさらに、
前記サービスインフラストラクチャシステムが、前記サブスクリプションオーダーを供給するための一次ワークフローおよび二次ワークフローを特定するステップを備え、前記一次ワークフローは、１つ以上の一次実行ステップを含み、前記二次ワークフローは、１つ以上の二次実行ステップを含み、前記方法はさらに、
前記サービスインフラストラクチャシステムが、前記１つ以上の一次実行ステップの全ての実行ステップが実行を完了させた後であって、前記１つ以上の二次実行ステップの全ての実行ステップが実行を完了させる前に、前記１つ以上のサービスへのアクセスを可能にするステップと、
前記サービスインフラストラクチャシステムが、前記サブスクリプションオーダーにおける前記１つ以上のサービスに前記要求者がアクセス可能であることを示す通知を前記要求者に送るステップとを備える、方法。
【請求項２】
前記１つ以上の一次実行ステップは、前記サブスクリプションオーダーにおいて特定される前記１つ以上のサービスのために１つ以上のリソースをプロビジョニングすることを含む、請求項１に記載の方法。
【請求項３】
プロビジョニングは、前記サブスクリプションオーダーにおいて特定される前記１つ以上のサービスにアクセス可能であるように前記１つ以上のリソースを構成することを含む、請求項２に記載の方法。
【請求項４】
前記１つ以上のリソースについて使用情報を求めるステップをさらに備え、前記使用情報は、ある期間にわたる前記１つ以上のリソースの使用を特定し、前記方法はさらに、
前記使用情報および前記サブスクリプションオーダー情報に基づいて、前記期間における前記１つ以上のリソースにおける第１のリソースの過剰使用を演算するステップと、
前記過剰使用を示す情報を前記要求者に提供するステップとを備える、請求項２または３に記載の方法。
【請求項５】
前記第１のリソースの前記過剰使用を演算するステップは、
前記第１のリソースに対応するリソースタイプを決定するステップと、
前記第１のリソースの前記過剰使用を演算するために実行されるオペレーションを決定するステップとをさらに備え、前記オペレーションは、前記リソースタイプに基づいて決定され、さらに、
前記使用情報に含まれる前記第１のリソースに対応する使用統計を使用して前記オペレーションを実行することによって前記第１のリソースの前記過剰使用を演算するステップを備える、請求項４に記載の方法。
【請求項６】
前記第１のリソースの前記過剰使用を演算するステップは、前記第１のリソースについての超過ユニットの数を求め、前記第１のリソースの前記過剰使用を示す値を演算するステップを備え、前記値は、前記超過ユニットの数および超過ユニットに対応する価格情報に基づいて演算され、前記超過ユニットの数および前記価格情報は、前記要求者の前記サブスクリプションオーダーに関連付けられたサービスレベルおよび顧客レベルに基づいて求められ、
前記第１のリソースの前記過剰使用を示す情報を前記要求者に提供するステップは、前記第１のリソースについての前記超過ユニットの数および前記第１のリソースの前記過剰使用を示す前記値を示す通知を前記要求者に送るステップを備える、請求項５に記載の方法。
【請求項７】
前記１つ以上の二次実行ステップは、前記サブスクリプションオーダーを処理することを含む、請求項１〜６のいずれか１項に記載の方法。
【請求項８】
前記サービスインフラストラクチャシステムが、前記１つ以上の二次実行ステップと同時に、前記１つ以上の一次実行ステップを実行するステップをさらに備える、請求項１に記載の方法。
【請求項９】
前記サービスインフラストラクチャシステムのテナント自動化サブシステムにおいて、前記サブスクリプションオーダーを前記要求者から受取るステップと、
前記サブスクリプションオーダーが発生する地理的データ領域を求めるステップと、
前記地理的データ領域に基づいて、前記１つ以上の一次実行ステップおよび前記１つ以上の二次実行ステップのパフォーマンスが実行される前記サービスインフラストラクチャシステムのテナント自動化サブシステムデータセンタを選択するステップとをさらに備える、請求項１に記載の方法。
【請求項１０】
前記サービスインフラストラクチャシステムのコンポーネントのためにセキュリティゾーンを決定するステップをさらに備え、前記コンポーネントは、前記１つ以上のリソースをプロビジョニングするために前記サブスクリプションオーダーに関連する前記サブスクリプションオーダー情報にアクセスし、前記方法はさらに、
第１のセキュリティゾーンに関連付けられたセキュリティレベルを決定するステップと、
前記セキュリティレベルに関連付けられたセキュリティ規則に基づいてサブスクライバオーダー情報に前記コンポーネントがアクセスすることを可能にするステップとを備える、請求項１〜３および９のいずれか１項に記載の方法。
【請求項１１】
前記サービスインフラストラクチャシステムの第１のコンポーネントと前記サービスインフラストラクチャシステムの第２のコンポーネントとの間で前記サブスクリプションオーダー情報を転送するための要求を受取るステップをさらに備え、前記第１のコンポーネントおよび前記第２のコンポーネントは、前記１つ以上の演算装置によって実行され、前記方法はさらに、
前記第１のコンポーネントのために第１のセキュリティゾーンを決定し、前記第２のコンポーネントのために第２のセキュリティゾーンを決定するステップと、
前記第１のセキュリティゾーンに関連付けられた第１のセキュリティレベルを決定し、前記第２のセキュリティゾーンに関連付けられた第２のセキュリティレベルを決定するステップと、
前記第１のセキュリティレベル、前記第２のセキュリティレベルおよびセキュリティ規則情報に基づいて、前記第１のコンポーネントと前記第２のコンポーネントとの間での前記サブスクリプションオーダー情報の転送を決定するステップとを備え、前記セキュリティ規則情報は、前記第１のコンポーネントと前記第２のコンポーネントとの間での前記サブスクリプションオーダー情報の転送に関連する１つ以上の規則を規定する、請求項１〜２および９のいずれか１項に記載の方法。
【請求項１２】
１つ以上のサービスを提供するように構成可能な１つ以上の演算装置と、
要求者から受取られたサブスクリプションオーダー情報を格納するように構成可能なメモリとを備えるシステムであって、前記サブスクリプションオーダー情報は、サービスインフラストラクチャシステムによって提供される前記１つ以上のサービスについてのサブスクリプションオーダーに関するものであり、
前記１つ以上の演算装置のうち少なくとも１つの演算装置は、
前記サブスクリプションオーダーを供給するための一次ワークフローおよび二次ワークフローを特定するように構成可能であり、前記一次ワークフローは、１つ以上の一次実行ステップを含み、前記二次ワークフローは、１つ以上の二次実行ステップを含み、前記少なくとも１つの演算装置はさらに、
前記１つ以上の一次実行ステップの全ての実行ステップが実行を完了させた後であって、前記１つ以上の二次実行ステップの全ての実行ステップが実行を完了させる前に、前記１つ以上のサービスへのアクセスを可能にするように構成可能であり、
前記サブスクリプションオーダーにおける前記１つ以上のサービスに前記要求者がアクセス可能であることを示す通知を前記要求者に送るように構成可能である、システム。
【請求項１３】
１つ以上のサービスを提供するように適合されたシステムであって、
要求者から受取られたサブスクリプションオーダー情報を格納するための手段を備え、前記サブスクリプションオーダー情報は、サービスインフラストラクチャシステムによって提供される前記１つ以上のサービスについてのサブスクリプションオーダーに関するものであり、前記システムはさらに、
前記サブスクリプションオーダーを供給するための一次ワークフローおよび二次ワークフローを特定するための手段を備え、前記一次ワークフローは、１つ以上の一次実行ステップを含み、前記二次ワークフローは、１つ以上の二次実行ステップを含み、前記システムはさらに、
前記１つ以上の一次実行ステップの全ての実行ステップが実行を完了させた後であって、前記１つ以上の二次実行ステップの全ての実行ステップが実行を完了させる前に、前記要求者が前記１つ以上のサービスにアクセスすることを可能にするための手段と、
前記サブスクリプションオーダーにおける前記１つ以上のサービスに前記要求者がアクセス可能であることを示す通知を前記要求者に送るための手段とを備える、システム。
【請求項１４】
１つ以上のプロセッサによって実行可能なコンピュータプログラムであって、
前記１つ以上のプロセッサのうち少なくとも１つのプロセッサが、要求者から受取られたサブスクリプションオーダー情報を格納するようにする命令を備え、前記サブスクリプションオーダー情報は、サービスインフラストラクチャシステムによって提供される１つ以上のサービスについてのサブスクリプションオーダーに関するものであり、前記コンピュータプログラムはさらに、
前記１つ以上のプロセッサのうち少なくとも１つのプロセッサが、前記サブスクリプションオーダーを供給するための一次ワークフローおよび二次ワークフローを特定するようにする命令を備え、前記一次ワークフローは、１つ以上の一次実行ステップを含み、前記二次ワークフローは、１つ以上の二次実行ステップを含み、前記コンピュータプログラムはさらに、
前記１つ以上のプロセッサのうち少なくとも１つのプロセッサが、前記１つ以上の一次実行ステップの全ての実行ステップが実行を完了させた後であって、前記１つ以上の二次実行ステップの全ての実行ステップが実行を完了させる前に、前記要求者が前記１つ以上のサービスにアクセスすることを可能にするようにする命令と、
前記１つ以上のプロセッサのうち少なくとも１つのプロセッサが、前記サブスクリプションオーダーにおける前記１つ以上のサービスに前記要求者がアクセス可能であることを示す通知を前記要求者に送るようにする命令とを備える、コンピュータプログラム。